(57)【要約】      （修正有）【課題】表示装置を組み立てる際の作業効率を向上させるとともに、表示装置の組み立てに係るコストを低減する。【解決手段】フレーム１３は、表示装置のバックライトシャーシの外縁に配置されるフレーム１３であって、液晶パネルを駆動するためのドライバ基板を係止するための少なくとも一つの係止部１３１を有している。【選択図】図１
2016021061.tif 000002
【特許請求の範囲】
【請求項１】
表示装置のバックライトシャーシの外縁に配置されるフレームであって、
液晶パネルを駆動するためのドライバ基板を係止するための少なくとも一つの係止部を有している、
ことを特徴とするフレーム。
【請求項２】
上記係止部は、上記ドライバ基板の主面が上記表示装置の表示面の法線方向に沿うように上記ドライバ基板を係止する、
ことを特徴とする請求項１に記載のフレーム。
【請求項３】
上記係止部は、
上記表示装置の表示面の法線方向に沿って上記表示装置の背面側に延伸するアーム部と、
上記アーム部の先端に設けられたツメ部と、を有している、
ことを特徴とする請求項１又は２に記載のフレーム。
【請求項４】
上記ツメ部は、上記ドライバ基板の外縁を係止するための第１のツメを有している、
ことを特徴とする請求項３に記載のフレーム。
【請求項５】
上記ツメ部は、上記バックライトシャーシに取り付けられるベゼルを係止する第２のツメを更に有している、
ことを特徴とする請求項３又は４に記載のフレーム。
【請求項６】
上記係止部は、上記ドライバ基板に設けられた貫通孔に係合する、
ことを特徴とする請求項１又は２に記載のフレーム。
【請求項７】
上記係止部は、上記貫通孔を貫通する貫通部と、上記ドライバ基板の主面のうち、当該フレーム本体とは反対側の主面に当接可能な当接部とを備えている、
ことを特徴とする請求項６に記載のフレーム。
【請求項８】
上記当接部は、
上記ドライバ基板の法線方向に沿った対称軸を有し、上記ドライバ基板に向けて湾曲するアーチ型である、
ことを特徴とする請求項７に記載のフレーム。
【請求項９】
上記当接部は、
上記貫通部の端部から上記ドライバ基板に沿って延伸する当接面を有している、
ことを特徴とする請求項７に記載のフレーム。
【請求項１０】
上記ドライバ基板は、上記表示装置の正置状態において、部品が実装された面が下向きとなるように、上記係止部によって係止されている、
ことを特徴とする請求項１〜９の何れか１項に記載のフレーム。
【請求項１１】
上記係止部は、上記表示装置の背面側において、上記ドライバ基板の主面が上記表示装置の表示面に平行になるように上記ドライバ基板を係止する、
ことを特徴とする請求項１に記載のフレーム。
【請求項１２】
当該フレームは、互いに分離可能な第１のフレームおよび第２のフレームによって構成され、
上記係止部は、上記第１のフレームに設けられている、
ことを特徴とする請求項１１に記載のフレーム。
【請求項１３】
上記係止部は、上記ドライバ基板の外縁を係止する第３のツメを有している、
ことを特徴とする請求項１１または１２に記載のフレーム。
【請求項１４】
上記係止部を複数備えている、
ことを特徴とする請求項１から１３の何れか１項に記載のフレーム。
【請求項１５】
請求項１から１４の何れか１項に記載のフレームと、
上記フレームの備える係止部に係止されたドライバ基板と、を備えている、
ことを特徴とする表示装置。
【請求項１６】
請求項１５に記載の表示装置を備えている、
ことを特徴とするテレビジョン受像機。
【発明の詳細な説明】
【技術分野】
【０００１】
本発明は、表示装置を構成するフレーム、及びそのようなフレームを備える表示装置に関する。また、本発明は、そのような表示装置を備えるテレビジョン受像機に関する。
【背景技術】
【０００２】
近年、テレビに対し、薄型化および軽量化と共に低コスト化が求められており、テレビ内部の構造を単純化したテレビが普及している。
【０００３】
一方、従来のテレビでは、液晶パネルを駆動するためのドライバ基板を、テレビの映像表示面と反対側の面、例えば、バックライトシャーシの背面などに固定する構成が一般的である。そのような構成の一例として、特許文献１には、液晶モジュールにおいて、プリント回路基板が保持されたホルダーを、リアフレームの背面に止具で固定する構成が記載されている。
【先行技術文献】
【特許文献】
【０００４】
【特許文献１】特開２０１２−４７８３８号公報（２０１２年３月８日公開）
【発明の概要】
【発明が解決しようとする課題】
【０００５】
しかしながら、上述のような従来のテレビにおいては、ドライバ基板を固定するためのホルダー及びビスなどの固定部材が必要であるため、テレビを構成する部品数が増大するという課題があった。また、部品数の増大に伴って、ドライバ基板をホルダーに取り付ける工程、及び、ホルダーをネジ及びビスなどによって固定する工程が必要になる。また、ドライバ基板を固定するためのホルダーを用いない場合においても、ドライバ基板をバックライトシャーシの背面側にネジ及びビスなどによって直接固定する工程が必要になる。そのため、ドライバ基板を固定する際の作業が煩雑になるという課題があった。
【０００６】
本発明は、上記の課題に鑑みてなされたものであり、その目的は、表示装置を組み立てる際の作業効率を向上させるとともに、表示装置の組み立てに係るコストを低減することができるフレームを提供することにある。
【課題を解決するための手段】
【０００７】
上記の課題を解決するために、本発明の一態様に係るフレームは、表示装置のバックライトシャーシの外縁に配置されるフレームであって、液晶パネルを駆動するためのドライバ基板を係止するための少なくとも一つの係止部を有している、ことを特徴としている。
【発明の効果】
【０００８】
本発明の一態様によれば、表示装置を組み立てる際の作業効率を向上させるとともに、表示装置の組み立てに係るコストを低減することができる。
【図面の簡単な説明】
【０００９】
【図１】本発明の一実施形態に係る表示装置の備えるシート保持枠の一部分を示す拡大斜視図である。
【図２】本発明の一実施形態に係る表示装置を正面側から見た分解斜視図である。
【図３】本発明の一実施形態に係る表示装置を背面側から見た分解斜視図である。
【図４】図２に示す表示装置の備えるシート保持枠の外観を示す斜視図である。
【図５】図２に示す表示装置の備えるシート保持枠の一部分を、他の部材と共に示す拡大側面図である。
【図６】図２に示す表示装置の備えるシート保持枠の一部分を、他の部材と共に示す拡大斜視図であり、（ａ）は、ドライバ基板が係止されている状態を示し、（ｂ）は、ドライバ基板が取り外されている状態を示す。
【図７】図２に示す表示装置の備えるシート保持枠の一部分を、他の部材と共に示す拡大斜視図であり、（ａ）は、ドライバ基板が係止されている状態を示し、（ｂ）は、ドライバ基板が取り外されている状態を示す。
【図８】図２に示す表示装置の備えるシート保持枠の一部分を、他の部材と共に示す拡大斜視図であり、（ａ）は、ドライバ基板が係止されている状態を示し、（ｂ）は、ドライバ基板が取り外されている状態を示す。
【図９】図２に示す表示装置の備える下側面ベゼルの構成を示す外観図であり、（ａ）は、下側面ベゼルの構成を示す斜視図であり、（ｂ）は、下側面ベゼルの構成を示す側面図である。
【図１０】図２に示す表示装置の備えるシート保持枠の一部分を他の部材と共に示す拡大斜視図であって、図９に示す下側面ベゼルがシート保持枠に取り付けられている状態を示す拡大斜視図である。
【図１１】本発明の実施形態６におけるシート保持枠を、表示装置の背面側から見た分解斜視図であり、（ａ）は、係止部を有する第１の部材を示す図であり、（ｂ）は、第２の部材を示す図である。
【図１２】本発明の実施形態６におけるシート保持枠を示す図であり、（ａ）は、シート保持枠を表示装置の背面側から見た図であり、（ｂ）は、シート保持枠を表示装置の左側面から見た図である。
【図１３】本発明の実施形態６におけるシート保持枠を組み立てる様子を示す図であり、（ａ）は、組み立て前のシート保持枠を示す図であり、（ｂ）は、組み立て後のシート保持枠を示す図である。
【図１４】本発明の実施形態６に係る表示装置の背面側を右斜め上から見た斜視図である。
【図１５】本発明の実施形態７におけるシート保持枠を示す図であり、（ａ）は、シート保持枠を、表示装置の上側面から見た斜視図であり、（ｂ）は、シート保持枠の一領域を拡大した図であり、（ｃ）は、シート保持枠の他の領域を拡大した図であり、（ｄ）は、シート保持枠のさらに他の領域を拡大した図である。
【図１６】本発明の実施形態７におけるシート保持枠に、液晶パネルおよびドライバ基板を設置した図であり、（ａ）は、シート保持枠を、表示装置の上側面から見た斜視図であり、（ｂ）は、シート保持枠の一領域を拡大した図であり、（ｃ）は、シート保持枠の他の領域を拡大した図であり、（ｄ）は、シート保持枠のさらに他の領域を拡大した図である。
【図１７】本発明の実施形態７におけるシート保持枠にドライバ基板を設置する様子を示す図である。
【図１８】本発明の実施形態７における係止部の形状の例を示す図である。
【発明を実施するための形態】
【００１０】
＜実施形態１＞
本発明の一実施形態に係る表示装置について、図１から図１０を用いて説明する。本実施形態に係る表示装置は、例えば、テレビジョン受像機に用いられるが、これは本実施形態を限定するものではない。例えば、本実施形態に係る表示装置は、パーソナルコンピュータ用のディスプレイの形態で実施されてもよい。なお、以下の説明では本発明を実施するために好ましい種々の限定が付加されているが、本発明の技術的範囲は以下の実施形態及び図面の記載に限定されるものではない。また、以下に説明する表示装置を備えるテレビジョン受像機も本明細書に記載された発明に含まれる。
【００１１】
〔表示装置の構成の概要〕
まず、本実施形態に係る表示装置１の構成について、図２及び図３を参照して説明する。図２は、本実施形態に係る表示装置１を正面側から見た分解斜視図である。また、図３は、本実施形態に係る表示装置１を背面側から見た分解斜視図である。
【００１２】
図２及び図３に示すように、表示装置１は、フロントキャビネット１０、ベゼル１１、液晶パネル１２、シート保持枠１３（フレーム）、光学シート群１４、反射シート１５、ＬＥＤ基板１６、バックライトシャーシ１７、スピーカ１８、バックキャビネット２０、及び、メイン回路基板２１を備えている。
【００１３】
なお、本実施形態にかかる表示装置１では、図２及び図３に示すように、液晶パネル１２、光学シート群１４及び反射シート１５の背面にＬＥＤ基板１６及びＬＥＤ素子１６０が配置されることによって、直下型バックライトが構成されている。
【００１４】
以下、表示装置１の備える各部材の概要について説明する。なお、表示装置１においてフロントキャビネット１０が存在する側を正面とも称し、その反対側（バックキャビネット２０が存在する側）を背面とも称する。また、以下の説明においては、各部材について、表示装置１を正面からみて上側（表示装置１の設置面と反対側）の側面を上側面、右側の側面を右側面、左側の側面を左側面、下側（表示装置１の設置面側）の側面を下側面と称する。
【００１５】
（フロントキャビネット、バックキャビネット）
フロントキャビネット１０は、主に、表示装置１の外枠を正面側から覆う筐体である。また、バックキャビネット２０は、主に、表示装置１を背面側から覆う筐体である。
【００１６】
フロントキャビネット１０とバックキャビネット２０との間には、フロントキャビネット１０側から順に、ベゼル１１、液晶パネル１２、シート保持枠１３、光学シート群１４、反射シート１５、ＬＥＤ基板１６、バックライトシャーシ１７、及び、メイン回路基板２１が重ねられて格納されている。
【００１７】
（ベゼル、液晶パネル、シート保持枠）
ベゼル１１は、液晶パネル１２の映像表示面側から液晶パネル１２の周囲を覆うように配置され、シート保持枠１３と共に液晶パネル１２を把持することにより、バックライトシャーシ１７に対する液晶パネル１２の法線方向の位置を規定する。また、ベゼル１１を設けることにより、表示装置１の強度を保つことができ、静電対策にも有効である。なお、図２及び図３においては図示を省略しているが、ベゼル１１は、上側面ベゼル、右側面ベゼル、左側面ベゼル、及び下側面ベゼルの４つのベゼル構成枠材を含んで構成されている。上側面ベゼル、右側面ベゼル、左側面ベゼル、及び下側面ベゼルは、それぞれバックライトシャーシ１７の上側面、右側面、左側面および下側面を覆うように配置される。
【００１８】
シート保持枠１３は、液晶パネル１２を支持するフレーム状の部材であり、上述のようにベゼル１１と共に液晶パネル１２を把持する。また、シート保持枠１３は、後述する光学シート群１４の周囲から光が漏れることを防ぐ遮光部材である。シート保持枠１３は、バックライトシャーシ１７と共に光学シート群１４を把持することにより、バックライトシャーシ１７に対する光学シート群１４の法線方向の位置を規定する。なお、シート保持枠１３の構成の詳細については、図面を変えて後述する。
【００１９】
（光学シート群、反射シート）
光学シート群１４は、後述するＬＥＤ基板１６に備えられているＬＥＤ素子１６０から出射される光の光量のムラ（すなわち輝度ムラ）を抑制するとともに、ＬＥＤ素子１６０から出射される光を調光して液晶パネル１２に向けて出射する機能を有している。
【００２０】
光学シート群１４は、例えば、拡散シート、プリズムシート、マイクロレンズシート、及び、拡散シートなどを含んで構成されている。なお、光学シート群１４を構成する各シートの枚数及び組み合わせは、所望の光学性能が得られるような枚数及び組み合わせであれば、特に限定されるものではない。
【００２１】
反射シート１５は、ＬＥＤ素子１６０から出射される光を反射する。反射シート１５には、ＬＥＤ素子挿入孔１５１が形成されており、反射シート１５の背面側に設けられるＬＥＤ基板１６の備えるＬＥＤ素子１６０がＬＥＤ素子挿入孔１５１に挿入される。これにより、反射シート１５は、ＬＥＤ基板１６とＬＥＤ素子１６０との間に位置することになる。
【００２２】
反射シート１５は、ＬＥＤ基板１６及びバックキャビネット２０などに吸収されていた、ＬＥＤ素子１６０から出射される光を反射して有効に利用できるため、光学シート群１４に向けて出射される光量を増やすことができる。これによって、反射シート１５は、液晶パネル１２の輝度を向上させる事が出来る。
【００２３】
なお、反射シート１５は、入射した光が正反射するシートであってもよいが、乱反射するシートを用いることがより好ましい。反射シート１５として入射した光が乱反射するシートを用いることによって、反射シート１５は、入射角と異なる角度の反射成分を含んで光を反射させることができる。
【００２４】
（ＬＥＤ基板、バックライトシャーシ、メイン回路基板）
ＬＥＤ基板１６は、液晶パネル１２側にＬＥＤ素子１６０が配置された基板であり、バックライトシャーシ１７に固定される。
【００２５】
ＬＥＤ基板１６は短冊形の形状を有しており、その長手方向に沿って複数のＬＥＤ素子１６０が並んで配置されている。このようにＬＥＤ基板１６を構成することにより、複数のＬＥＤ素子１６０を簡易に表示装置１内に配置することができる。
【００２６】
また、ＬＥＤ基板１６には、ＬＥＤ素子１６０に電流を供給する回路（不図示）が設けられており、バックライトシャーシ１７の背面に配置されるメイン回路基板２１上に設けられている回路（不図示）と電気的に接続されている。
【００２７】
ＬＥＤ基板１６の長手方向の一方の端部には、メイン回路基板２１に電気的に接続するためのコネクタ１６１が設けられており、また、ＬＥＤ基板１６には、コネクタ１６１と各ＬＥＤ素子１６０とを電気的に接続する回路（不図示）が設けられている。
【００２８】
バックライトシャーシ１７の背面に配置されるメイン回路基板２１は、ＬＥＤ基板１６に設けられている回路とコネクタ１６１を介して電気的に接続されている。
【００２９】
なお、本実施形態では、ＬＥＤ基板１６の長手方向が、表示装置１の長手方向に平行に配置される構成を例に説明しているが、本発明はこれに限定されるものではなく、例えば、ＬＥＤ基板１６の長手方向が、表示装置１の短手方向に平行になるように配置してもよい。
【００３０】
バックライトシャーシ１７は、ＬＥＤ基板１６を保持するシャーシである。また、バックライトシャーシ１７には、ベゼル１１及びシート保持枠１３により、液晶パネル１２、光学シート群１４、及び、反射シート１５が保持される。
【００３１】
（スピーカ）
スピーカ１８は、表示装置１において再生（表示）されるコンテンツの音声を出力する。スピーカ１８は、バックライトシャーシ１７の背面下部とバックキャビネット２０の正面下部との間に、スピーカ支柱１９を用いて固定される。
【００３２】
〔シート保持枠の構成〕
次に、本実施形態に係るシート保持枠１３の構成について、図１及び図４から図８を参照して説明する。
【００３３】
図１は、表示装置１の備えるシート保持枠１３の一部分を示す拡大斜視図である。図１に示すように、シート保持枠１３の四つの側面（四辺）のうち、下側面（表示装置１を正置した状態において下部となる一辺）には、複数の係止部１３１が設けられている。各係止部１３１は、シート保持枠１３の下側面の長手方向に沿って所定の間隔をおいて設けられている。係止部１３１は、液晶パネル１２を駆動するためのドライバ基板を係止するための構成である。
【００３４】
図１に示すように、係止部１３１は、アーム部１３１１及びツメ部１３１２を含んで構成されている。
【００３５】
アーム部１３１１は、シート保持枠１３の下側面から、液晶パネル１２（表示装置１の表示面）の法線方向に沿って表示装置１の背面側に延伸するアーム状の部位である。図１に示すように、アーム部１３１１は、その先端部（表示装置１の背面側の端部）において、シート保持枠１３の外側に設けられたツメ部１３１２を有している。
【００３６】
ツメ部１３１２は、ツメ１３１２ａ（第１のツメ）及びツメ１３１２ｂ（第２のツメ）を有している。図１に示すように、ツメ１３１２ａは、ツメ部１３１２の上側（アーム部１３１１と接する側）に設けられており、ツメ１３１２ｂは、ツメ部１３１２の下側（アーム部１３１１と接していない側）に設けられている。
【００３７】
ツメ１３１２ａは、ドライバ基板の外縁を係止するためのツメである。ドライバ基板は、その外縁がツメ１３１２ａに嵌合するように取り付けられる。これにより、ドライバ基板１２１の主面が液晶パネル１２の法線方向に沿うようにドライバ基板１２１を係止することができる（換言すれば、ドライバ基板１２１の法線と液晶パネル１２の法線方向とが略直交するようにドライバ基板１２１を保持することができる）ので、表示装置１の狭額縁化に資する。なお、シート保持枠１３へのドライバ基板の係止については、参照する図面を変えて後述する。
【００３８】
ツメ１３１２ｂは、ベゼル１１を構成する下側面ベゼルを係止するためのツメである。下側面ベゼルは、その下側面の外縁がツメ１３１２ｂに嵌合するように取り付けられる。これにより、下側面ベゼルは、シート保持枠１３の下方であって、係止部１３１により係止されているドライバ基板の下方において係止される。なお、シート保持枠１３への下側面ベゼルの係止については、参照する図面を変えて後述する。
【００３９】
図４は、シート保持枠１３の外観を示す斜視図である。図４に示すように、シート保持枠１３は、表示装置１を構成するフレーム部材である。図２及び図３を参照して説明したように、シート保持枠１３は、バックライトシャーシ１７の外縁に配置される。
【００４０】
なお、図１及び図４においては、シート保持枠１３が係止部１３１を４つ備えている場合の構成例を示しているが、本発明はこれに限定されるものではない。すなわち、シート保持枠１３に設けられる係止部１３１の数、及び各係止部１３１が設けられる位置は、ドライバ基板を確実に係止することができるように構成されていればよく、ドライバ基板の形状に応じて変更することが可能である。また、各係止部１３１のアーム部１３１１の長さ（表示装置１の背面側に延伸する長さ）は、ドライバ基板の形状に応じた長さであればよく、少なくとも一つのアーム部１３１１の長さが、他のアーム部１３１１の長さと異なっていてもよい。
【００４１】
図５は、シート保持枠１３の一部分を、他の部材と共に示す拡大側面図である。図５は、シート保持枠１３を右側面からみた拡大側面図である。
【００４２】
図５に示すように、ドライバ基板１２１は、ツメ１３１２ａ及びツメ１３１２ａ’に嵌合するように取り付けられる。ドライバ基板１２１は、液晶パネル１２を駆動するための回路（不図示）が設けられる基板であり、フレキシブル配線基板１２２を介して、液晶パネル１２に電気的に接続される。また、図５において図示していないが、下側面ベゼルは、ツメ１３１２ｂ及びツメ１３１２ｂ’に嵌合するように取り付けられる。
【００４３】
また、ドライバ基板１２１の下面（表示装置１の下方の面）には、コネクタ（基板側コネクタ）１２１１が設けられている。コネクタ１２１１は、コネクタ（表示装置側コネクタ）１２３を介してケーブル１２４に電気的に接続されており、ドライバ基板１２１に形成された回路に電源及び各種制御信号を供給する。
【００４４】
なお、図５には図示されていないが、コネクタ１２１１がドライバ基板１２１の下面に設けられていることからも分かるように、ドライバ基板１２１は、コネクタ１２１１などの部品が実装されている面が下面（表示装置１の下方の面）となるように係止される。ドライバ基板１２１を上記のように係止することにより、ドライバ基板１２１に実装された部品に、埃などの異物が堆積することを抑制することができる。
【００４５】
図６は、シート保持枠１３の一部分を、他の部材と共に示す拡大斜視図であり、（ａ）は、ドライバ基板１２１が係止されている状態を示し、（ｂ）は、ドライバ基板１２１が取り外されている状態を示す。なお、図６（ａ）及び図６（ｂ）は、シート保持枠１３の左側面を表示装置１の正面側から見た拡大斜視図であり、図６（ａ）及び図６（ｂ）においては、下側面ベゼルの図示を省略している。
【００４６】
図６（ａ）及び図６（ｂ）に示すように、シート保持枠１３の左側面には、液晶パネル１２の左側面を覆うように左側面ベゼル１１３が配置され、シート保持枠１３と共に液晶パネル１２の左側面を把持する。なお、図６（ａ）及び図６（ｂ）において、図示を省略しているが、シート保持枠１３の下側面には、液晶パネル１２の下側面を覆うように下側面ベゼルが配置され、シート保持枠１３と共に液晶パネル１２の下側面を把持する。また、下側面ベゼルは、その下側面の外縁がツメ１３１２ｂに嵌合するように取り付けられる。
【００４７】
図６（ａ）に示すように、ドライバ基板１２１は、その外縁がツメ１３１２ａに嵌合するように取り付けられる。また、ドライバ基板１２１は、フレキシブル配線基板１２２を介して液晶パネル１２に電気的に接続される。フレキシブル配線基板１２２は、一端がドライバ基板１２１の下面側に接続され、他端が液晶パネル１２の正面側に接続されるように配置される。
【００４８】
図７は、シート保持枠１３の一部分を、他の部材と共に示す拡大斜視図であり、（ａ）は、ドライバ基板１２１が係止されている状態を示し、（ｂ）は、ドライバ基板１２１が取り外されている状態を示す。なお、図７（ａ）及び図７（ｂ）は、シート保持枠１３の左側面を表示装置１の下側から見た拡大斜視図であり、図７（ａ）及び図７（ｂ）においても、下側面ベゼルの図示を省略している。また、図７（ａ）及び図７（ｂ）において、シート保持枠１３が有する複数の係止部１３１のうち、一つの係止部１３１のみに部材番号を付し、他の係止部１３１については部材番号を省略している。
【００４９】
図７（ａ）に示すように、ドライバ基板１２１は、その外縁がツメ１３１２ａに嵌合するように取り付けられる。また、図７（ａ）に示すように、ドライバ基板１２１がシート保持枠１３に取り付けられた状態において、液晶パネル１２の法線方向に沿ったドライバ基板の長さは均一ではない。そのため、図７（ａ）に示す例においては、シート保持枠１３の有する複数のツメ１３１２ａの各々に、ドライバ基板１２１の外縁が嵌合するように、各アーム部１３１１の長さが定められている。
【００５０】
また、図７（ａ）に示すように、ドライバ基板１２１は、複数のフレキシブル配線基板１２２（図中においては、一つのフレキシブル配線基板１２２のみに部材番号を付す）を介して液晶パネル１２に電気的に接続される。また、図７（ａ）及び図７（ｂ）に示すように、ドライバ基板１２１の下部に設けられたコネクタ１２１１は、コネクタ１２３に接続されている。
【００５１】
図８は、シート保持枠１３の一部分を、他の部材と共に示す拡大斜視図であり、（ａ）は、ドライバ基板１２１が係止されている状態を示し、（ｂ）は、ドライバ基板１２１が取り外されている状態を示す。なお、図８（ａ）及び図８（ｂ）は、シート保持枠１３の左側面を表示装置１の背面側から見た拡大斜視図であり、図８（ａ）及び図８（ｂ）においても、下側面ベゼルの図示を省略している。また、図８（ａ）及び図８（ｂ）においても、シート保持枠１３が有する複数の係止部１３１のうち、一つの係止部１３１のみに部材番号を付し、他の係止部１３１については部材番号を省略している。
【００５２】
図８（ａ）及び図８（ｂ）に示すように、シート保持枠１３は、光学シート群１４を把持する。
【００５３】
図８（ａ）に示す例においても、ドライバ基板１２１は、ドライバ基板１２１がシート保持枠１３に取り付けられた状態において、液晶パネル１２の法線方向に沿ったドライバ基板の長さは均一ではなく、シート保持枠１３の有する複数のツメ１３１２ａの各々に、ドライバ基板１２１の外縁が嵌合するように、各アーム部１３１１の長さが定められている。
【００５４】
〔下側面ベゼルの構成〕
図９は、下側面ベゼル１１４の外観を示す図であり、（ａ）は、下側面ベゼル１１４の外観を示す斜視図であり、（ｂ）は、下側面ベゼル１１４の外観を示す側面図である。
【００５５】
図９（ａ）及び図９（ｂ）に示すように、下側面ベゼル１１４は、長手方向を法線方向とする断面がＬ字状に形成されている。下側面ベゼル１１４は、シート保持枠１３が有する複数の係止部１３１により係止される。具体的には、下側面ベゼル１１４の下側面における表示装置１の背面側の外縁部１１４１が、図５に示すツメ１３１２ｂに嵌合するように取り付けられる。また、下側面ベゼル１１４の下側面における表示装置１の背面側の他の外縁部が、図５に示すツメ１３１２ｂ’に嵌合するように取り付けられる。
【００５６】
図１０は、シート保持枠１３の一部分を他の部材と共に示す拡大斜視図であって、下側面ベゼル１１４がシート保持枠１３に取り付けられている状態を示す拡大斜視図である。なお、図１０においても、シート保持枠１３が有する複数の係止部１３１のうち、一つの係止部１３１のみに部材番号を付し、他の係止部１３１については部材番号を省略している。また、図１０においては、シート保持枠１３にバックライトシャーシ１７が取り付けられた状態を示しており、シート保持枠１３と、バックライトシャーシ１７との間には、光学シート群１４、反射シート１５、及び、ＬＥＤ基板１６が配置されている。
【００５７】
図１０に示すように、下側面ベゼル１１４の下側面における表示装置１の背面側の外縁部が、ツメ１３１２ｂに嵌合するように取り付けられる。
【００５８】
このように、本実施形態に係るシート保持枠１３によれば、ドライバ基板１２１を係止するとともに、ベゼル１１を係止することができる。
【００５９】
＜実施形態２＞
実施形態１においては、係止部１３１がシート保持枠１３の下側面に設けられている構成であるが、本明細書に記載のシート保持枠１３は、上記の構成に限定されない。本実施形態においては、例えば、係止部１３１をシート保持枠１３の上側面に設ける構成としてもよい。また、本実施形態においては、ドライバ基板１２１の部品が実装された面が、下面（正置状態の表示装置１の下方の面）となるように、係止部１３１のツメ１３１２ａによりドライバ基板１２１を係止する構成である。シート保持枠１３を上記のように構成することにより、ドライバ基板１２１の主面が液晶パネル１２の法線方向に沿うようにドライバ基板１２１を係止することができるので、表示装置１の狭額縁化に資する。
【００６０】
＜実施形態３＞
実施形態１及び実施形態２においては、係止部１３１がシート保持枠１３の下側面または上側面に設けられている構成であるが、本発明に係るシート保持枠１３は、上記の構成に限定されない。本実施形態においては、係止部１３１をシート保持枠１３の右側面及び左側面の各々に設ける構成としてもよい。また、係止部１３１をシート保持枠１３の右側面または左側面の何れかに設ける構成としてもよい。本実施形態においては、ドライバ基板１２１の法線方向と、液晶パネル１２の法線方向とが略直交するように、係止部１３１のツメ１３１２ａによりドライバ基板１２１を係止する構成である。シート保持枠１３を上記のように構成することにより、ドライバ基板１２１の主面が液晶パネル１２の法線方向に沿うようにドライバ基板１２１を係止することができるので、表示装置１の狭額縁化に資する。
【００６１】
＜実施形態４＞
本実施形態においては、実施形態１に係るシート保持枠１３と同様に、実施形態２及び実施形態３に係るシート保持枠１３の備える係止部１３１に、ベゼルを係止するツメ１３１２ｂが設けられた構成としてもよい。すなわち、係止部１３１がシート保持枠１３の上側面に設けられている場合には、係止部１３１は、上側面ベゼルを係止するツメ１３１２ｂを備える構成とすればよい。また、係止部１３１がシート保持枠１３の右側面及び左側面に設けられている場合には、係止部１３１は、右側面ベゼル及び左側面ベゼルの各々を係止するツメ１３１２ｂを備える構成とすればよい。シート保持枠１３を上記のように構成することにより、ドライバ基板１２１を係止するとともに、ベゼル１１を係止することができる。
【００６２】
＜実施形態５＞
上述の各実施形態においては、ツメ部１３１２が、アーム部１３１１の先端において、シート保持枠１３の外側に設けられる構成であるが、本発明に係るシート保持枠１３は、上記の構成に限定されない。本実施形態においては、例えば、アーム部１３１１の先端に設けられたツメ部１３１２において、ドライバ基板を係止するツメ１３１２ａがシート保持枠１３の内側（液晶パネル１２側）に設けられ、下側面ベゼルを係止するツメ１３１２ｂがシート保持枠１３の外側に設けられる構成としてもよい。本実施形態においても、ドライバ基板１２１の法線方向と、液晶パネル１２の法線方向とが略直交するように、係止部１３１のツメ１３１２ａによりドライバ基板１２１を係止する構成とすることが好ましい。シート保持枠１３を上記のように構成することにより、ドライバ基板１２１をシート保持枠１３の内側に係止することができるので、表示装置１の狭額縁化に資する。
【００６３】
＜実施形態６＞
上述の各実施形態では、ドライバ基板１２１の主面と表示面とが直行するようにドライバ基板１２１が配置されたが、ドライバ基板１２１の主面と表示面とが平行になるようにドライバ基板１２１が配置される構成であってもよい。本実施形態では、ドライバ基板１２１の主面と表示面とが平行になるようにドライバ基板１２１が配置される構成について、図１１〜図１４を用いて説明する。なお、上述した「平行」とは、対象となる２つの面が厳密に平行である場合に限定されるものではなく、例えば、一方の面の法線と他方の面とのなす角が、８０度〜１００度程度であれば、上述した「平行」に含まれる。
【００６４】
図１１は、本発明の実施形態６におけるシート保持枠１３ａを、表示装置１ａの背面側から見た分解斜視図であり、（ａ）は、係止部１３２を有する第１の部材１３ｂを示す図であり、（ｂ）は、第２の部材１３ｃを示す図である。また、図１２は、本発明の実施形態６におけるシート保持枠１３ａを示す図であり、（ａ）は、シート保持枠１３ａを表示装置１ａの背面側から見た図であり、（ｂ）は、シート保持枠１３ａを表示装置１ａの左側面から見た図である。なお、図１１〜図１４における各部材のスケールは、各部材の例示を目的としているため実際のスケールでは描かれていないが、第１の部材１３ｂの表示装置１ａの表示面の法線方向の長さは、ドライバ基板１２１の短手方向の長さより短くなっている。
【００６５】
図１１に示すように、本実施形態におけるシート保持枠１３ａは、シート保持枠１３ａの一辺が分離された第１の部材（第１のフレーム）１３ｂと、第２の部材１３ｃとによって構成されている。第１の部材１３ｂおよび第２の部材１３ｃは、図１２に示すように組み合わせることにより、光学シート群を把持するシート保持枠１３ａとして機能する。
【００６６】
（第１の部材１３ｂ）
図１１の（ａ）および図１２に示すように、第１の部材１３ｂには、ドライバ基板１２１を係止する係止部１３２が複数設けられている。なお、図１１、１２、および後述する図１４において、係止部１３２のうち、一つの係止部１３２のみに部材番号を付し、他の係止部１３２については部材番号を省略している。係止部１３２は、図１２の（ｂ）に示すように、ドライバ基板１２１の外縁を係止するためのツメ（第３のツメ）１３１２ｃを有している。ツメ１３１２ｃは、表示装置１ａの背面側において、ドライバ基板１２１が表示装置１ａの表示面に平行になるように係止する。なお、ツメ１３１２ｃは、上述したツメ１３１２ａと同じ構造であってもよい。
【００６７】
本実施形態における第１の部材１３ｂは、図１２の（ｂ）に示すように、表示装置１ａの左側面から見た断面において、表示装置１ａの内部に向かって開口したコの字の形状を有している。第１の部材１３ｂは、当該コの字形状の窪みの底部が、表示装置１ａの表示面の法線方向に沿うように配置される。そして、第１の部材１３ｂは、表示装置１ａの背面側の面において、当該面の上部および下部に、ドライバ基板１２１が表示装置１ａの表示面に平行になるように係止する複数のツメ１３１２ｃを有している。そして、ドライバ基板１２１は、フレキシブル配線基板１２２を介して、液晶パネル１２に電気的に接続される。
【００６８】
（シート保持枠１３ａの組み立て）
図１３は、本発明の実施形態６におけるシート保持枠１３ａを組み立てる様子を示す図であり、（ａ）は、組み立て前のシート保持枠１３ａを示す図であり、（ｂ）は、組み立て後のシート保持枠１３ａを示す図である。
【００６９】
図１３の（ａ）に示すように、第１の部材１３ｂと第２の部材１３ｃとが分離した状態では、表示装置１ａを正面から見た場合におけるシート保持枠１３ａの上部が開口している。そのため、シート保持枠１３ａには、把持対象の光学シート群等を容易に配置させることができる。そして、光学シート群等を配置した後、図１３の（ａ）の矢印に示すように、第１の部材１３ｂを設置することによって、図１３の（ｂ）に示すように、第１の部材１３ｂおよび第２の部材１３ｃが結合した状態となる。
【００７０】
（ドライバ基板１２１の配置）
図１４は、本発明の実施形態６に係る表示装置１ａの背面側を右斜め上から見た斜視図である。図１４に示すように、第１の部材１３ｂおよび第２の部材１３ｃが、光学シート群等を把持するシート保持枠１３ａを構成している。また、図１４に示すように、ドライバ基板１２１を、表示装置１ａの背面側において、ドライバ基板の主面が表示装置１ａの表示面に平行になるように、ツメ１３１２ｃがドライバ基板１２１を係止している。ここで、上述したように、第１の部材１３ｂの表示装置１ａの法線方向の長さは、ドライバ基板１２１の短手方向の長さより短くなっている。そのため、本実施形態に係る表示装置１ａは、表示面の法線方向の長さを、上述した実施形態に比べて短くすることができる。
【００７１】
なお、本実施形態では、シート保持枠１３ａが、互いに分離可能な第１の部材１３ｂおよび第２の部材１３ｃによって構成されている場合について説明したが、この構成に限定されない。例えば、図１４において、第１の部材１３ｂおよび第２の部材１３ｃが分離不可能なシート保持枠１３ａであっても、表示装置１ａの背面側において、ドライバ基板の主面が表示装置１ａの表示面に平行になるように、ツメ１３１２ｃがドライバ基板１２１を係止することができる。
【００７２】
また、本実施形態では、シート保持枠１３ａの上側面側の一辺が分離可能な構成であったが、シート保持枠１３ａの下側面側の一辺、または、左右何れかの側面側の一辺が分離可能な構成であってもよい。
【００７３】
＜実施形態７＞
上述の各実施形態では、ドライバ基板１２１ｄをツメによって係止する構成について説明したが、ツメ以外の方法でドライバ基板１２１ｄを係止する構成であってもよい。本実施形態では、ツメ以外の方法でドライバ基板１２１ｄを係止する構成について、図１５〜図１８を用いて説明する。
【００７４】
図１５は、本発明の実施形態７におけるシート保持枠１３ｄを示す図であり、（ａ）は、シート保持枠１３ｄを、表示装置１ｄの上側面から見た斜視図であり、（ｂ）は、シート保持枠１３ｄの一領域Ａ１を拡大した図であり、（ｃ）は、シート保持枠１３ｄの他の領域Ａ２を拡大した図であり、（ｄ）は、シート保持枠１３ｄのさらに他の領域Ａ３を拡大した図である。また、図１６は、本発明の実施形態７におけるシート保持枠１３ｄに、液晶パネル１２およびドライバ基板１２１ｄを設置した図であり、（ａ）は、シート保持枠１３ｄを、表示装置１ｄの上側面から見た斜視図であり、（ｂ）は、シート保持枠１３ｄの一領域Ａ１を拡大した図であり、（ｃ）は、シート保持枠１３ｄの他の領域Ａ２を拡大した図であり、（ｄ）は、シート保持枠１３ｄのさらに他の領域Ａ３を拡大した図である。
【００７５】
図１５に示すように、本実施形態に係るシート保持枠１３ｄは、上述した実施形態におけるツメに替えて、図１５の（ｂ）〜（ｄ）に示すように、上側面において、貫通部１３３１および当接部１３３２を備える係止部１３３を備えている。また、図１６に示すように、ドライバ基板１２１ｄには、係止部１３３の位置に対応するように、貫通孔１２１２が設けられている。そして、図１６の（ｂ）〜（ｄ）に示すように、係止部１３３は、ドライバ基板１２１ｄに設けられた貫通孔１２１２に係合する。ここで、ドライバ基板１２１ｄがシート保持枠１３ｄに設置された状態において、ドライバ基板１２１ｄの主面のうち、シート保持枠１３本体とは反対側の主面を表面１２１Ａ、シート保持枠１３本体側の主面を裏面１２１Ｂと称する。
【００７６】
係止部１３３の当接部１３３２は、ドライバ基板１２１ｄの法線方向に沿った対称軸を有し、ドライバ基板１２１ｄに向けて湾曲するアーチ型である。そして、当接部１３３２は、ドライバ基板１２１ｄの表面１２１Ａに当接可能である。そのため、ドライバ基板１２１ｄに対して、シート保持枠１３ｄから遠ざかる向きの力が働いても、当接部１３３２がドライバ基板１２１ｄに当接するので、ドライバ基板１２１ｄの動きを規制することができる。
【００７７】
（ドライバ基板１２１ｄの設置）
図１７は、本発明の実施形態７におけるシート保持枠１３ｄにドライバ基板１２１ｄを設置する様子を示す図である。図１７に示すように、ドライバ基板１２１ｄの裏面１２１Ｂがシート保持枠１３ｄ本体側となるように、矢印の方向に倒すようにドライバ基板１２１ｄを設置する。このとき、係止部１３３と貫通孔１２１２とがそれぞれ係合し、ドライバ基板１２１ｄはシート保持枠１３ｄに設置される。このように、本実施形態におけるシート保持枠１３ｄは、簡易な作業でドライバ基板１２１ｄをシート保持枠１３ｄに固定することができる。また、本実施形態におけるシート保持枠１３ｄは、上述した実施形態とは異なりツメを備えていないため、ツメを配置するスペースが不要となり、表示装置１ｄの全体的なサイズを小さくすることができる。
【００７８】
（係止部の形状）
図１８は、本発明の実施形態７における係止部の形状の例を示す図である。本実施形態における係止部の形状の例について、図１８を用いて説明する。
【００７９】
図１８の（ａ）は、シート保持枠１３ｄに設けられた係止部１３３の形状を示す図であり、（ｂ）は、（ａ）に示す係止部１３３に対応する貫通孔１２１２を示す図であり、（ｃ）は、（ａ）に示すシート保持枠１３ｄにドライバ基板１２１ｄが設置された図である。図１８の（ａ）に示す係止部１３３は、図１５〜図１７に示す係止部１３３と同じ形状であり、当接部１３３２がドライバ基板１２１ｄの法線方向に沿った対称軸を有し、ドライバ基板１２１ｄに向けて湾曲するアーチ型の係止部１３３である。この場合、ドライバ基板１２１ｄの貫通孔１２１２に係止部１３３を嵌めることにより、ドライバ基板１２１ｄを固定することができる。
【００８０】
図１８の（ｄ）は、シート保持枠１３ｅに設けられた係止部１３３ａの形状を示す図であり、（ｅ）は、（ａ）に示す係止部１３３ａに対応する貫通孔１２１２ａを示す図であり、（ｆ）は、（ｄ）に示すシート保持枠１３ｅにドライバ基板１２１ｅが設置された図である。図１８の（ｄ）に示す係止部１３３ａでは、当接部１３３２ａが、貫通部１３３１ａの端部からドライバ基板１２１ｅに沿って、ドライバ基板１２１ｅの短手方向に延伸する当接面１３３３ａを有している。
【００８１】
図１８の（ｄ）に示す係止部１３３ａの場合、ドライバ基板１２１ｅの貫通孔１２１２ａに係止部１３３ａを貫通させ、図１８の（ｆ）に示す矢印の方向（ドライバ基板１２１ｅの短手方向）にドライバ基板１２１ｅをスライドさせることにより、ドライバ基板１２１ｅを固定することができる。
【００８２】
図１８の（ｇ）は、シート保持枠１３ｆに設けられた係止部１３３ｂの形状を示す図であり、（ｈ）は、（ｇ）に示す係止部１３３ｂに対応する貫通孔１２１２ｂを示す図であり、（ｉ）は、（ｇ）に示すシート保持枠１３ｆにドライバ基板１２１ｆが設置された図である。図１８の（ｇ）に示す係止部１３３ｂでは、当接部１３３２ｂが、貫通部１３３１ｂの端部からドライバ基板１２１ｆに沿って、ドライバ基板１２１ｅの長手方向に延伸する当接面１３３３ｂを有している。
【００８３】
図１８の（ｇ）に示す係止部１３３ｂの場合、ドライバ基板１２１ｆの貫通孔１２１２ｂに係止部１３３ｂを貫通させ、図１８の（ｉ）に示す矢印の方向（ドライバ基板１２１ｆの長手方向）にドライバ基板１２１ｆをスライドさせることにより、ドライバ基板１２１ｆを固定することができる。
【００８４】
〔まとめ〕
本発明の態様１に係るフレーム（シート保持枠１３）は、表示装置１のバックライトシャーシ１７の外縁に配置されるフレームであって、液晶パネル１２を駆動するためのドライバ基板１２１を係止するための少なくとも一つの係止部１３１を有している、ことを特徴としている。
【００８５】
上記の構成において、上記フレームは、上記バックライトシャーシの外縁に配置されるフレームである。上記フレームが上記係止部を有していることにより、上記フレームに対する上記ドライバ基板の取り付けが容易になる。したがって、上記の構成によれば、上記表示装置を組み立てる際の作業効率を向上させることができる。
【００８６】
また、上記の構成によれば、上記ドライバ基板を上記フレームに直接取り付けることができるので、上記ドライバ基板を固定するために必要な部材を削減することができる。これによって、上記フレームに対する上記ドライバ基板の取り付けに関する部品にかかるコストを低減することができる。
【００８７】
本発明の態様２に係るフレームは、上記態様１において、上記係止部は、上記ドライバ基板の主面が上記表示装置の表示面の法線方向に沿うように上記ドライバ基板を係止する、ことが好ましい。
【００８８】
上記の構成によれば、上記ドライバ基板の主面が上記表示装置の表示面の法線方向に沿うように係止することができるので、上記表示装置の狭額縁化に資する。
【００８９】
本発明の態様３に係るフレームは、上記態様１又は２において、上記係止部は、上記表示装置の表示面の法線方向に沿って上記表示装置の背面側に延伸するアーム部１３１１と、上記アーム部の先端に設けられたツメ部１３１２と、を有している、ことが好ましい。
【００９０】
上記の構成によれば、上記ツメ部により、上記ドライバ基板を上記表示装置の表示面の法線方向に沿うように係止することができる。
【００９１】
したがって、上記の構成によれば、上記表示装置のさらなる狭額縁化に資する。
【００９２】
本発明の態様４に係るフレームは、上記態様３において、上記ツメ部は、上記ドライバ基板の外縁を係止するための第１のツメ（ツメ１３１２ａ）を有している、ことが好ましい。
【００９３】
上記の構成によれば、上記フレームは、上記ドライバ基板の外縁を上記第１のツメにより、係止することができるので、上記フレームに対する上記ドライバ基板の取り付けをより容易にすることができる。
【００９４】
本発明の態様５に係るフレームは、上記態様３又は４において、上記ツメ部は、上記バックライトシャーシに取り付けられるベゼルを係止する第２のツメ（ツメ１３１２ｂ）を更に有している、ことが好ましい。
【００９５】
上記の構成によれば、上記フレームは、上記ドライバ基板を係止するとともに、上記第２のツメにより、上記ベゼルを係止することができる。したがって、上記ベゼルの取り付けを容易にするとともに、上記フレームに対する上記ベゼルの取り付けに関する部品にかかるコストを低減することができる。
【００９６】
本発明の態様６に係るフレームは、上記態様１から５において、上記係止部を複数備えている、ことが好ましい。
【００９７】
上記の構成によれば、上記ドライバ基板をより確実に係止することができる。
【００９８】
本発明の態様７に係る表示装置は、上記態様１から６に係るフレームと、上記フレームの備える係止部１３１に係止されたドライバ基板１２１と、を備えている、ことを特徴としている。
【００９９】
上記の構成によれば、上記表示装置を組み立てる際の作業効率を向上させるとともに、上記フレームに対する上記ドライバ基板の取り付けに関する部品にかかるコストを低減することができる。
【０１００】
本発明の態様８に係る表示装置は、上記態様７において、上記ドライバ基板は、当該表示装置の正置状態において、部品が実装された面が下向きとなるように、上記係止部によって係止されている、ことが好ましい。
【０１０１】
上記の構成によれば、上記ドライバ基板は、上記ドライバ基板の部品が実装された面が、当該表示装置の正置状態において下向きとなるように係止されるので、上記ドライバ基板に実装された部品に埃などの異物が堆積することを抑制することができる。
【０１０２】
本発明の態様９に係るテレビジョン受像機は、上記態様８に係る表示装置を備えている、ことを特徴としている。
【０１０３】
上記の構成によれば、上記の表示装置と同様の効果を奏する。
【０１０４】
本発明の態様１０に係るフレーム（シート保持枠１３ｄ）において、上記態様１における上記係止部（１３３）は、上記ドライバ基板に設けられた貫通孔（１２１２）に係合してもよい。
【０１０５】
上記の構成によれば、上記フレームは、フレームの係止部がドライバ基板の貫通孔と係合するので、簡易な構成および作業でドライバ基板をフレームに固定することができる。
【０１０６】
本発明の態様１１に係るフレームにおいて、上記態様１０における上記係止部は、上記貫通孔を貫通する貫通部（１３３１）と、上記ドライバ基板の主面のうち、当該フレーム本体とは反対側の主面（１２１Ａ）に当接可能な当接部（１３３２）とを備えていてもよい。
【０１０７】
上記の構成によれば、上記フレームは、ドライバ基板に対して、フレームから遠ざかる方向の力が働いても、当接部においてドライバ基板と当接するため、ドライバ基板の動きを抑制することができる。
【０１０８】
本発明の態様１２に係るフレームにおいて、上記態様１１における上記当接部（１３３２）は、上記ドライバ基板の法線方向に沿った対称軸を有し、上記ドライバ基板に向けて湾曲するアーチ型であってもよい。
【０１０９】
上記の構成によれば、上記フレームは、作業者に対して、簡易な作業でドライバ基板をフレームに固定させることができる。
【０１１０】
本発明の態様１３に係るフレームにおいて、上記態様１１における上記当接部（１３３２ａ、１３３２ｂ）は、上記貫通部の端部から上記ドライバ基板に沿って延伸する当接面（１３３３ａ、１３３３ｂ）を有していてもよい。
【０１１１】
上記の構成によれば、上記フレームは、作業者に対して、簡易な作業でドライバ基板をフレームに固定させることができる。
【０１１２】
本発明の態様１４に係るフレームにおいて、上記態様１〜５、１０〜１３の何れかにおける上記ドライバ基板は、上記表示装置の正置状態において、部品が実装された面が下向きとなるように、上記係止部によって係止されていてもよい。
【０１１３】
上記の構成によれば、上記ドライバ基板は、上記ドライバ基板の部品が実装された面が、当該表示装置の正置状態において下向きとなるように係止されるので、上記ドライバ基板に実装された部品に埃などの異物が堆積することを抑制することができる。
【０１１４】
本発明の態様１５に係るフレーム（シート保持枠１３ａ）において、上記態様１における上記係止部（１３２）は、上記表示装置の背面側において、上記ドライバ基板の主面が上記表示装置の表示面に平行になるように上記ドライバ基板を係止してもよい。
【０１１５】
上記の構成によれば、上記フレームは、上記表示装置を正面から見た場合の奥行の厚さを薄くすることができる。
【０１１６】
本発明の態様１６に係るフレームは、上記態様１１において、互いに分離可能な第１のフレーム（第１の部材１３ｂ）および第２のフレーム（第２の部材１３ｃ）によって構成され、上記係止部は、上記第１のフレームに設けられていてもよい。
【０１１７】
上記の構成によれば、第１のフレームを分離させている状態で光学シート群等を配置できるので、容易に光学シート群等を配置させることができる。
【０１１８】
本発明の態様１７に係るフレームにおいて、上記態様１５または１６における上記係止部は、上記ドライバ基板の外縁を係止する第３のツメ（１３１２ｃ）を有していてもよい。
【０１１９】
上記の構成によれば、上記フレームは、容易にドライバ基板を設置させることができる。
【０１２０】
本発明の態様１８に係るフレームは、上記態様１０〜１７の何れかにおいて、上記係止部を複数備えていてもよい。
【０１２１】
上記の構成によれば、上記フレームは、ドライバ基板をより確実に係止することができる。
【０１２２】
本発明の態様１９に係る表示装置は、上記態様１０〜１８の何れかにおけるフレームと、上記フレームの備える係止部に係止されたドライバ基板と、を備えている。
【０１２３】
上記の構成によれば、上記表示装置は、組み立てる際の作業効率を向上させるとともに、上記フレームに対する上記ドライバ基板の取り付けに関する部品にかかるコストを低減することができる。
【０１２４】
本発明の態様２０に係るテレビジョン受像機は、上記態様１９に記載の表示装置を備えている。
【０１２５】
上記の構成によれば、上記表示装置と同様の効果を奏する。
【０１２６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２７】
本発明は、テレビジョン受像機を含む表示装置一般に好適に利用することができる。
【符号の説明】
【０１２８】
１      表示装置
１１      ベゼル
１２      液晶パネル
１２１      ドライバ基板
１３      シート保持枠（フレーム）
１３ｂ      第１の部材（第１のフレーム）
１３ｃ      第２の部材（第２のフレーム）
１３１、１３２、１３３      係止部
１３１１      アーム部
１３１２      ツメ部
１３１２ａ      ツメ（第１のツメ）
１３１２ｂ      ツメ（第２のツメ）
１３１２ｃ      ツメ（第３のツメ）
１３３１      貫通部
１３３２      当接部
１７      バックライトシャーシ
【図１】
2016021061.tif 000003
【図２】
2016021061.tif 000004
【図３】
2016021061.tif 000005
【図４】
2016021061.tif 000006
【図５】
2016021061.tif 000007
【図６】
2016021061.tif 000008
【図７】
2016021061.tif 000009
【図８】
2016021061.tif 000010
【図９】
2016021061.tif 000011
【図１０】
2016021061.tif 000012
【図１１】
2016021061.tif 000013
【図１２】
2016021061.tif 000014
【図１３】
2016021061.tif 000015
【図１４】
2016021061.tif 000016
【図１５】
2016021061.tif 000017
【図１６】
2016021061.tif 000018
【図１７】
2016021061.tif 000019
【図１８】
2016021061.tif 000020